【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
式：
【化１】
1997208603.tif 000001
または
【化２】
1997208603.tif 000002
（式中、R1は、同じでも異なっていてもよく、水素原子、ハロゲン原子、式：
【化３】
1997208603.tif 000003
（式中、R2は、O、S、およびNから選択された１以上のヘテロ原子を有してもよい、飽和または不飽和で、脂肪族または芳香族、炭化水素基であり、R3は、水素原子またはO、S、およびNから選択された１以上のヘテロ原子を有してもよい、飽和または不飽和で、脂肪族または芳香族、炭化水素基であり、および、Mは１価のカチオンまたは金属を示し、nは６、７、または８であり、ただしR1の少なくとも１つはOH基ではなく、R1はメトキシ基ではない）で表わされるもののうちの１つの基を示す）で表わされるペル（３，６−アンヒドロ）シクロデキストリン置換誘導体。
【請求項２】
全てのR1が、OCOR2（式中、R2は炭素数が１から２０の、直鎖または分岐のアルキル基を示す）またはOR2（式中、R2は炭素数が２から２０の、直鎖または分岐のアルキル基を示す）を示すことを特徴とする、請求項１に記載の誘導体。
【請求項３】
式（I）で表わされ、式中、nは６であり、全てのR1がOCOCH3で表わされることを特徴とする、請求項２に記載の誘導体。
【請求項４】
R1の少なくとも１つがOSO2R2、ハロゲン原子、N3またはOMを示すことを特徴とする、請求項１に記載の誘導体。
【請求項５】
R1の少なくとも１つが、OSO2R2で表わされ、R2はCF3または式：
【化４】
1997208603.tif 000004
で表わされることを特徴とする、請求項４に記載の誘導体。
【請求項６】
式（I）で表わされ、R1の１つが、式：
【化５】
1997208603.tif 000005
で表わされ、他のR1がOHで表わされ、nが６であることを特徴とする、請求項５に記載の誘導体。
【請求項７】
式：
【化６】
1997208603.tif 000006
または
【化７】
1997208603.tif 000007
（式中、R1の少なくとも１つは、OR2またはOCOR2で表わされ、R2は請求項１と同様の意味を有し、他のR1はOHを示し、nは６、７、または８である）で表わされる誘導体の調製方法であって、式：
【化８】
1997208603.tif 000008
または
【化９】
1997208603.tif 000009
（式中、nは６、７、または８である）で表わされるペルアンヒドロシクロデキストリンを、式：R2X、R2COX、または(R2CO)2O（式中、R2は上記と同様の意味を有し、Xはハロゲン原子を表わす）と反応させることからなることを特徴とするシクロデキストリン誘導体の製造方法。
【請求項８】
式：
【化１０】
1997208603.tif 000010
または
【化１１】
1997208603.tif 000011
（式中、R1の少なくとも１つは、ハロゲン原子、または、式：
【化１２】
1997208603.tif 000012
（式中、R2、R3、およびMは、請求項１と同じ意味を有する）で表わされる基を示し、他のR1はOHを示し、nは６、７、または８である）で表わされる誘導体の調製方法であって、１）式：
【化１３】
1997208603.tif 000013
または
【化１４】
1997208603.tif 000014
（式中、nは６、７、または８である）で表わされるペルアンヒドロシクロデキストリンを、OH基をOM基（Mはアルカリ金属を示す）に変えるべく、水素化アルカリ金属と反応させる工程と、２）工程１）で得られた変性ペルアンヒドロシクロデキストリンを、式：ClOSO2R2（式中、R2は請求項１と同様の意味を有する）で表わされるクロリドと反応させて、少なくとも１つのR1が、式：OSO2R2で表わされる基である、式（I）または（II）で表わされる誘導体を調製する工程と、３）R1がOSO2R2とは異なるべきである場合には、工程２）で得られた誘導体を、OSO2R2を所望のR1基に変えるための１以上の適当な試薬と反応させる工程とを含有することを特徴とする製造方法。
【請求項９】
イオンと複合させるために、水溶液を請求項１ないし６のいずれか１項に記載のシクロデキストリン誘導体と接触させ、シクロデキストリン複合体の形態で溶液からイオンを分離することからなることを特徴とする、水溶液中に存在するイオンの調製方法。
【請求項１０】
シクロデキストリン誘導体を、水溶液とは混和しない有機溶媒中に溶解することを特徴とする、請求項９に記載の方法。
【請求項１１】
分離すべきイオンが、アルカリ金属イオン、アクチニド、およびランタニドから選択されることを特徴とする、請求項９または１０に記載の方法。
【手続補正２】
【補正対象書類名】明細書
【補正対象項目名】００１２
【補正方法】変更
【補正の内容】
【００１２】
（式中、R2は、O、S、およびNから選択された１以上のヘテロ原子を有してもよい、飽和または不飽和で、脂肪族または芳香族、炭化水素基であり、R3は、水素原子またはO、S、およびNから選択された１以上のヘテロ原子を有してもよい、飽和または不飽和で、脂肪族または芳香族、炭化水素基であり、および、Mは１価のカチオンまたは金属を示し、nは６、７、または８であり、ただしR1の少なくとも１つはOH基ではなく、R1はメトキシ基ではない）で表わされるもののうちの１つの基を示す）
で表わされる。


【手続補正３】
【補正対象書類名】明細書
【補正対象項目名】００１７
【補正方法】変更
【補正の内容】
【００１７】
で表わされる。本発明によるシクロデキストリン誘導体は、種々の方法で調製可能である。
シクロデキストリン誘導体が、式（I）または（II）（式中、R1の少なくとも１つが、OR2またはOCOR2で表わされ、R2は上記と同様の意味を有し、他のR1はOHを示し、nは６、７、または８である）で表わされる場合、式：


【手続補正４】
【補正対象書類名】明細書
【補正対象項目名】００２１
【補正方法】変更
【補正の内容】
【００２１】
（式中、nは６、７、または８である）
で表わされるペルアンヒドロシクロデキストリンを、式：R2X、R2COX、または(R2CO)2O（式中、R2は上記と同様の意味を有し、Xはハロゲン原子を表わす）と反応させることからなる。
該反応を行うために、シクロデキストリンのOH基を１以上変性するのに必要な化学量論的な量に相当する試薬R2X、R2COX、または(R2CO)2Oを使用する。
R1の少なくとも１つが、ハロゲン原子、または、式：


【手続補正５】
【補正対象書類名】明細書
【補正対象項目名】００２３
【補正方法】変更
【補正の内容】
【００２３】
（式中、R2、R3、およびMは、上記と同じ意味を有する）
で表わされる基を示し、nは６、７、または８である、シクロデキストリン誘導体を調製したい場合には、以下の工程を行うことが可能である。
１）式：


【手続補正６】
【補正対象書類名】明細書
【補正対象項目名】００２７
【補正方法】変更
【補正の内容】
【００２７】
（式中、nは６、７、または８である）
で表わされるペルアンヒドロシクロデキストリンを、OH基をOM基（Mはアルカリ金属を示す）に変えるべく、水素化アルカリ金属と反応させる工程と、
２）工程１）で得られた変性ペルアンヒドロシクロデキストリンを、式：ClSO2R2（式中、R2は上記と同様の意味を有する）で表わされるクロリドと反応させて、少なくとも１つのR1が、式：OSO2R2で表わされる基である、式（I）または（II）で表わされる誘導体を調製する工程と、
３）R1がOSO2R2とは異なるべきである場合には、工程２）で得られた誘導体を、OSO2R2を所望のR1基に変えるための１以上の適当な試薬と反応させる工程。